(57)【要約】【課題】  不正なパッケージの抜き取り及び脱落を防止するパッケージの抜出防止装置及び抜出防止機能付きホスト機器を提供する。【解決手段】  ホスト機器に対して挿入抜出自在に構成されたパッケージ本体２と、挿入時にホスト機器内で該ホスト機器に係合して該パッケージ本体２の抜出を規制する係合部材５とを有するパッケージ１において、前記ホスト機器に係合している係合部材５を外すための突起２３を備えた鍵部材２１をパッケージ本体２とは別体に設け、パッケージ本体２には、その鍵部材２１を挿入抜出する鍵穴１１を形成し、その鍵穴１１の一部に前記突起２３が前記係合部材５に干渉しない姿勢から前記突起２３が前記係合部材５に干渉して前記係合部材５を変位させる姿勢まで運動可能な空間１３を形成した。【選択図】  図１
2005146691.tif 000002
【特許請求の範囲】
【請求項１】
ホスト機器に対して挿入抜出自在に構成されたパッケージ本体と、挿入時にホスト機器内で該ホスト機器に係合して該パッケージ本体の抜出を規制する係合部材とを有するパッケージにおいて、前記ホスト機器に係合している係合部材を外すための突起を備えた鍵部材をパッケージ本体とは別体に設け、パッケージ本体には、その鍵部材を挿入抜出する鍵穴を形成し、その鍵穴の一部に前記突起が前記係合部材に干渉しない姿勢から前記突起が前記係合部材に干渉して前記係合部材を変位させる姿勢まで運動可能な空間を形成したことを特徴とするパッケージの抜出防止装置。
【請求項２】
パッケージ本体には、前記係合部材に干渉している姿勢の突起に対して鍵部材の抜出方向から干渉し、前記係合部材に干渉していない姿勢の突起には干渉しない鍵ストッパを形成したことを特徴とする請求項１記載のパッケージの抜出防止装置。
【請求項３】
前記係合部材を前記ホスト機器に係合している状態に付勢保持するバネを設けたことを特徴とする請求項１又は２記載のパッケージの抜出防止装置。
【請求項４】
前記鍵部材に前記突起から該鍵部材の個体毎に異なる距離を隔てて凸部を形成し、前記鍵穴にはこの凸部に干渉して前記鍵部材の運動を規制する壁を形成し、この壁に前記突起の運動可能空間から該鍵穴の個体毎に異なりかつ前記凸部に対応する距離を隔てて、この凸部を運動可能に収容することにより前記鍵部材の運動を許容する凹部を形成したことを特徴とする請求項１〜３いずれか記載のパッケージの抜出防止装置。
【請求項５】
前記突起の運動可能空間が前記鍵部材を中心に前記突起が回動可能な空間であって、前記係合部材をこの回動可能空間内に配置したことを特徴とする請求項１〜４いずれか記載のパッケージの抜出防止装置。
【請求項６】
前記パッケージを挿入して収容すると共に前記係合部材の係合相手となる嵌込穴を有する片側開口容器と、その片側開口容器の奥部に配置され前記パッケージが有する接続端子との電気的接続相手となる接続端子とを備えたことを特徴とする抜出防止機能付きホスト機器。
【発明の詳細な説明】
【技術分野】
【０００１】
本発明は、ロック機構が設けられたパッケージに係り、特に、不正なパッケージの抜き取り及び脱落を防止するパッケージの抜出防止装置及び抜出防止機能付きホスト機器に関するものである。
【背景技術】
【０００２】
光通信を行うホスト機器には、実際に光ファイバに接続して光通信（狭義には光信号と電気信号との相互変換のみ、広義には低階層のプロトコル処理まで含む）を担当するトランシーバが組み込まれる。このトランシーバの中には、ホスト機器の内部に固定的に組み込まれるのではなく、ホスト機器に窓を設け、この窓にトランシーバを差し込んで使用するようになっているものがある。これにより、トランシーバの故障や多様な通信仕様に対応して適宜トランシーバを交換することができる。
【０００３】
ホスト機器内には、窓から差し込まれたトランシーバを収容するためのケージと呼ばれる片側開口容器を設け、そのケージの奥部に電気的接続用の接続端子（受け側）を設ける。トランシーバは、光送受信に必要な光素子や電子回路を略直方体状のトランシーバ本体に収容し、このトランシーバ本体の一端に電気的接続用の接続端子（挿入側）を設ける。トランシーバを窓からケージ内に差し込めば接続端子同士が電気的に接続されてホスト機器とトランシーバとが互いに情報伝送可能になる。
【０００４】
このトランシーバのように電子回路を内蔵し、自身はホスト機器に組み込めるようにした部材を一般にパッケージと呼ぶ。
【０００５】
近年では、ホスト機器が稼働中であってもパッケージに不適切な電力印加がなく電源ショートなども起きないようにパッケージを着脱することのできる活線挿抜可能なパッケージが提供されている。
【０００６】
一方、ホスト機器に対して着脱自在なパッケージが不慮の振動や衝撃によって脱落しないよう、また、電気的接続が確実な状態が保たれるよう、パッケージにはロック機構が設けられる。具体的には、パッケージが接続端子による電気的接続の確実な位置に存在しているときに差し込みの方向に交差する方向に変位してホスト機器の一部であるケージに係合する係合部材をパッケージ本体中に設ける。係合部材がパッケージ差し込みの方向に交差する方向に変位してケージに係合するので、パッケージはロックされる。パッケージを抜き取る際には係合部材がケージに係合しない位置まで反対方向に変位していればよい。
【０００７】
この係合部材をケージに係合する位置から係合しない位置まで変位させる操作をするために、従来はパッケージ内に可動部材が設けられる。係合部材は、ケージに係合するよう奥まった場所に配置されるため、この係合部材をホスト機器の窓の外から操作するには、一部が係合部材に達し、一部が窓の外に現れている可動部材が必要である。
【０００８】
【特許文献１】米国特許第６４３９９１８号
【発明の開示】
【発明が解決しようとする課題】
【０００９】
前述した従来のロック機構は、パッケージが不慮の振動や衝撃によって脱落したり電気的接続が不確実にならないために設けたものであり、パッケージの交換の際には簡単な操作によってロックが解除できる。ただし、簡易な機構であるため、強い振動や衝撃によってロック機構が動いてしまい、ロックが解除される恐れがある。
【００１０】
一方、セキュリティ面に着目すると、パッケージには盗難、流用という問題がある。パッケージは、ホスト機器に対して着脱自在であるため、容易に盗み取ることができ、ユーザにとってはセキュリティが低い。そして、盗難されたパッケージが転売されたり、流用されることで、メーカにとっても利益や信用が不当に損なわれてしまう。
【００１１】
そこで、本発明の目的は、上記課題を解決し、不正なパッケージの抜き取り及び脱落を防止するパッケージの抜出防止装置及び抜出防止機能付きホスト機器を提供することにある。
【課題を解決するための手段】
【００１２】
上記目的を達成するために本発明の抜出防止装置は、ホスト機器に対して挿入抜出自在に構成されたパッケージ本体と、挿入時にホスト機器内で該ホスト機器に係合して該パッケージ本体の抜出を規制する係合部材とを有するパッケージにおいて、前記ホスト機器に係合している係合部材を外すための突起を備えた鍵部材をパッケージ本体とは別体に設け、パッケージ本体には、その鍵部材を挿入抜出する鍵穴を形成し、その鍵穴の一部に前記突起が前記係合部材に干渉しない姿勢から前記突起が前記係合部材に干渉して前記係合部材を変位させる姿勢まで運動可能な空間を形成したものである。
【００１３】
パッケージ本体には、前記係合部材に干渉している姿勢の突起に対して鍵部材の抜出方向から干渉し、前記係合部材に干渉していない姿勢の突起には干渉しない鍵ストッパを形成してもよい。
【００１４】
前記係合部材を前記ホスト機器に係合している状態に付勢保持するバネを設けてもよい。
【００１５】
前記鍵部材に前記突起から該鍵部材の個体毎に異なる距離を隔てて凸部を形成し、前記鍵穴にはこの凸部に干渉して前記鍵部材の運動を規制する壁を形成し、この壁に前記運動可能空間から該鍵穴の個体毎に異なりかつ前記凸部に対応する距離を隔てて、この凸部を運動可能に収容することにより前記鍵部材の運動を許容する凹部を形成してもよい。
【００１６】
前記突起の運動可能空間が前記鍵部材を中心に前記突起が回動可能な空間であって、前記係合部材をこの回動可能空間内に配置してもよい。
【００１７】
また、本発明のホスト機器は、前記パッケージを挿入して収容すると共に前記係合部材の係合相手となる嵌込穴を有する片側開口容器と、その片側開口容器の奥部に配置され前記パッケージが有する接続端子との電気的接続相手となる接続端子とを備えたものである。
【発明の効果】
【００１８】
本発明は次の如き優れた効果を発揮する。
【００１９】
（１）鍵部材を取り外しておけば、不正なパッケージの抜き取り及び脱落を防止することができる。
【発明を実施するための最良の形態】
【００２０】
以下、本発明の一実施形態を添付図面に基づいて詳述する。
【００２１】
本発明に係るパッケージの側断面図及び正面図を図１に、本発明に係る鍵部材の側面図及び平面図を図２に示す。
【００２２】
図１に示されるように、パッケージ１の筐体としてのパッケージ本体２は、略直方体に形成され、片端が開口した箱状のケージ３に挿入できるようになっている。図１では、パッケージ本体２が既にケージ３に挿入され、ロック機構が働いている状態が示されている。即ち、ケージ３の一側（ここでは底面）に嵌込穴４が設けられており、この嵌込穴４にパッケージ本体２内の係合部材５の一部が嵌め込まれている。係合部材５の一部が嵌込穴４に嵌まってケージ３に係合しているため、パッケージ本体２を抜き出すことはできない。なお、抜き出しの方向は図示左方向である。
【００２３】
係合部材５は、平板６と、その平板６からケージ３の下に向けて突き出すロック突起７とを一体的に形成したものである。その平板６は、パッケージ本体２に対し挿入方向の奥の位置で回転軸８又はヒンジを介して取り付けられており、図示しないチョウバネ又は板バネによってケージ３の下に向かう力を受けている。この力によって、ロック突起７が嵌込穴４に嵌まった状態が維持されている。
【００２４】
パッケージ本体２は、全部がケージ３内に入っているのではなく、抜出方向の先端側（以下、頭部９という）がケージの開口から外に出ている。一方、ケージ３の奥部には、図示していないが電気的接続用の接続端子（受け側）が設けてあり、パッケージ本体２の挿入方向の先端には、接続相手である接続端子（挿入側）が設けてあり、ロック機構が働いている図１の状態において、接続端子同士が電気的に確実に接続されている。
【００２５】
ケージ３は、図示しないホスト機器の内部に設けられている。図中矢印Ｐのあたりにホスト機器の表面パネルがあり、この矢印Ｐより図示右側がホスト機器の内部になる。ホスト機器の表面パネルには窓が設けられ、パッケージ１はこの窓を通してケージ３に挿入されている。
【００２６】
パッケージ１の頭部９の端面には送信用及び受信用の光ファイバコネクタをそれぞれ挿入するためのリセプタクル１０，１０が設けられている。リセプタクル１０，１０の下には、鍵穴１１が設けられている。鍵穴１１の開口形状は、後述する鍵部材の断面にほぼ一致する。
【００２７】
図２に示されるように、鍵部材２１は、細長いシャフト２２の先端に径方向一方に突き出た突起２３を有すると共に反対端に取っ手２４を有する。シャフト２２は、図１のパッケージ１の頭部９の先端から係合部材５の少なくとも平板６まで届く長さがある。この鍵部材２１を鍵穴１１に差し込むと、突起２３が平板６の下面に臨んで平行になり、取っ手２４は頭部９の外に残る。取っ手２４は、指先で摘んで鍵部材２１を取り扱うことができるよう平坦で適宜な幅を有する。
【００２８】
図１の正面図から分かるように、鍵穴１１は、突起２３を水平に寝かせた状態で鍵部材２１を差し込むようになっている。
【００２９】
鍵穴１１は、パッケージ１の頭部９の先端においては突起２３を水平に寝かせた鍵部材２１が通れる程度の低い高さであり、その高さを保ってパッケージ１の頭部９内に延出されて鍵通路１２となっているが、係合部材５の近くでは上に広がっており、突起２３が係合部材５に干渉しない姿勢から突起２３が係合部材５に干渉して係合部材５を変位させる姿勢まで運動可能な空間（以下、回動室１３という）を形成している。鍵通路１２から回動室１３へ出る位置にはパッケージ１の端面と平行な垂直壁が形成されている。この垂直壁は鍵部材２１がパッケージ１から抜けないようにする鍵ストッパ１４となっている。
【００３０】
次に、本発明に係るパッケージの動作を、図３、図４を用いて説明する。ここでは、図１のように、パッケージ１がロックされ、鍵部材２１が取り除かれている状態が最初にあるものとする。第１のステップとして、図２の鍵部材２１を図１の鍵穴１１に挿入する。このとき突起２３が水平に寝かせてあるので、図３に示されるように、鍵部材２１のシャフト２２の先端が平板６の下へ潜り込み、突起２３が平板６の下面と平行になる。この状態では、突起２３が係合部材５に干渉しない姿勢となっている。
【００３１】
第２のステップで、取っ手２４を用いて鍵部材２１を回転させる。鍵部材２１が回転すると、突起２３が上方に起き上がるので、突起２３が係合部材５の一部である平板６の下面に干渉する。
【００３２】
第３のステップでは、なおも鍵部材２を回転させる。図４に示されるように、平板６に当たっている突起２３がさらに起き上がるので、平板６が持ち上がり、係合部材７の全体が回転軸８を中心にして片持ち上げされる。これに伴い、ロック突起７が嵌込穴４から外れる。即ち、パッケージ１のロックが解除される。
【００３３】
第４のステップで、鍵部材２１を鍵穴１１から抜く方向に引く。このとき、突起２３は係合部材５に干渉して持ち上げている姿勢であるため、鍵通路１２の高さよりも高くなっており、鍵部材２１を引くと、突起２３が鍵ストッパ１４に干渉する。従って、鍵部材２１はこれ以上パッケージ１から抜くことはできないが、パッケージ１は既にケージ３とのロックが解除されているので、ケージ３から抜くことができる。
【００３４】
この後、鍵部材２１をパッケージ１から抜くこともできるが、その動作は、パッケージ１をケージ３に挿入してロックした後、鍵部材２１をするときの動作（後述）と同じである。
【００３５】
次に、パッケージ１をケージ３に挿入してロックするときは、予め鍵部材２１をパッケージ１に差し込み、第３のステップと同様に鍵部材２１を回転させてロック突起７がパッケージ本体２から下には出っ張らないようにしておく。その状態でパッケージ１をケージ３に挿入していくと、ロック突起７がケージ３の前縁（ほぼ矢印Ｐのあたり）を通り過ぎて嵌込穴４の真上に来る。即ち、図４と同じ状態になる。
【００３６】
第５のステップでは、鍵部材２１を逆回転させる。すると、突起２３が水平に寝てきて平板６の下面と平行になる。
【００３７】
第６のステップでは、平板６がチョウバネの力によって元へ戻る。これに伴い、ロック突起７が嵌込穴４に嵌まり、図３と同じ状態、即ち、ラッチが達成された状態になる。
【００３８】
第７のステップでは、鍵部材２１をパッケージ１から抜き出す。突起２３は水平で係合部材５に干渉しない姿勢になっているので、鍵通路１２の高さよりも低く、鍵ストッパ１４に干渉しない。よって、鍵部材２１はパッケージ１から抜け出る。これにより図１の状態に戻ることになる。
【００３９】
このようにしてラッチが達成された後、パッケージ１はホスト機器と確実に電気的接続されていると共にロックされているので、信頼性高く通信に供することができる。一方、抜き取った鍵部材２１はオペレータ（パッケージを抜き出す資格のある人）が保管しておく。
【００４０】
以上のように、パッケージ本体とは別体に設けた鍵部材を鍵穴から挿入してロックを解除するようにしたので、鍵部材を抜き取ってしまうと、ロックを解除することができない。従って、資格のないユーザがパッケージを抜き出したり、パッケージが簡単に盗難されることが防止される。また、従来のように係合部材をロック解除の方向へ動かす部材がパッケージに組み込まれておらず、鍵部材として別体になっているので、強い振動や衝撃を受けてもロックが解除されることがない。また、不慮の事故によるパッケージの脱落が防止される。
【００４１】
上記の実施形態では、鍵部材を回転させることで突起の姿勢を変えたが、鍵部材は回転させるに限らず、平行移動やスイングにより突起を係合部材に干渉させるようにしてもよい。
【００４２】
次に、本発明の他の実施形態を説明する。
【００４３】
図５に示されるように、鍵部材２１ａは、図２の鍵部材２１の構成に加え、突起２３から適宜な距離を隔てたところに凸部５１を形成したものである。突起凸部間距離は鍵部材２１ａの個体毎に異なるようにする。
【００４４】
一方、図６に示されるように、パッケージ１ａは、図１のパッケージ１の構成に加え、鍵穴１１に鍵部材２１ａの凸部５１に干渉して鍵部材２１ａの運動を規制する壁６１を形成し、この壁６１に突起２３の運動可能空間の端である鍵ストッパ１４から前記突起凸部間距離に対応する距離を隔てたところに凸部５１を運動可能に収容することにより鍵部材２１ａの運動を許容する凹部６２を形成したものである。鍵ストッパ凹部間距離はパッケージ１ａの個体毎に異なるようにし、特定の鍵部材２１ａの前記突起凸部間距離とだけ一致させる。これにより、特定の鍵部材２１ａだけが特定のパッケージ１ａと１対１で対応して回動可能になる。
【００４５】
図７、図８に示したこのパッケージの動作は、図３、図４で説明したものとほぼ同じであるが、第１のステップとして鍵部材２１ａをの鍵穴１１に挿入したとき、凸部５１が突起２３と同じように水平に寝かせてある。第２、第３のステップで、取っ手２４を用いて鍵部材２１ａを回転させると、突起２３が上方に起き上がるのと一緒に凸部５１が上方に起き上がり凹部６２に入る。もし、このとき凸部５１が凹部６２より手前又は奥に位置していると、この凸部５１は壁６１に干渉するので、鍵部材２１ａを回転させることができない。よって、突起２３が平板６を持ち上るに至らず、ロックが解除されない。つまり、パッケージ１ａの個体と対応した鍵部材２１ａ、即ち合い鍵のみがロックを解除させることができる。
【００４６】
この構成によれば、合い鍵を持っている正当な管理者のみがパッケージを抜き出すことができ、凸部位置の異なる鍵部材２１ａを持ったユーザがパッケージを抜き出すことはできないので、いっそうセキュリティが高まる。
【００４７】
次に、パッケージ本体のほうに係合部材を固定的に設け、ケージの一部をこの係合部材に係合させるようにしたロック機構に本発明の鍵部材を適用する形態を説明する。
【００４８】
図９の側断面図に示されるように、パッケージ１ｃの鍵穴１１には、鍵部材２１の突起２３が底面より下に突き出すための底穴９１が形成されており、ケージ３の一部がこの底穴９１に被さるようになっている。そして、底穴９１の奥の壁が一部、パッケージ１ｃの底面より下に突き出して係合部材９２を形成している。したがって、パッケージ１ｃを底面から見ると底穴９１と三角形の係合部材９２が隣接しているのがわかる。一方、ケージは、底面から見ると、２つの切り欠き９３に挟まれた舌部９４が形成されている。そして、この舌部９４に係合部材９２が嵌り込む三角窓９５が形成されている。舌部９４は、一辺のみがケージ３につながっており、可撓性（弾性）を有する。
【００４９】
図１０に示されるように、鍵部材２１ｃは図２の鍵部材２１とほぼ同じものである。
【００５０】
図１１に示されるように、舌部９４の三角窓９５には係合部材９２が嵌り込んだ状態であるため、パッケージ１ｃはロックされている。突起２３を水平に寝かせて鍵部材２１ｃを鍵穴１１に挿入すると、突起２３が底穴９１に臨む位置に来る。このとき取っ手２４を用いて鍵部材２１ｃを回転させると、突起２３が下方に下りてくるので、図１２に示されるように、突起２３が舌部９４を下に押し、舌部９４は撓むことになる。三角窓９５から係合部材９２が外れることにより、ロックが外れ、鍵部材２１ｃを引っ張ると突起２３がパッケージ１ｃの一部に掛かっているので、パッケージ１ｃを抜き出すことができる。パッケージ１ｃが抜き出されると、舌部９４を押していた突起２３が逃げるので、舌部９４は元へ戻る。
【００５１】
その後、パッケージ１ｃを挿入するときには、パッケージ１ｃに鍵部材２１ｃに入っていない状態若しくは鍵部材２１ｃが入っていても突起２３が寝ている状態でパッケージ１ｃを押し込んでいくと、係合部材９２が舌部９４の先端に当たって舌部９４を下へ押し下げる。係合部材９２が三角窓９５に来ると、舌部９４の撓みが元に戻り、三角窓９５に係合部材９２が嵌り込んで、ロックが達成される。
【００５２】
この構成においても、鍵部材２１ｃを管理しておけばパッケージ１ｃの抜き取りを防止することができる。
【図面の簡単な説明】
【００５３】
【図１】本発明の一実施形態を示すパッケージの側断面図及び正面図である。
【図２】本発明の一実施形態を示す鍵部材の側面図及び平面図である。
【図３】図１のパッケージに図２の鍵部材を挿入した側断面図である。
【図４】図１のパッケージに図２の鍵部材を挿入した側断面図である。
【図５】本発明の一実施形態を示す鍵部材の側面図及び平面図である。
【図６】本発明の一実施形態を示すパッケージの側断面図及び正面図である。
【図７】図６のパッケージに図５の鍵部材を挿入した側断面図である。
【図８】図６のパッケージに図５の鍵部材を挿入した側断面図である。
【図９】本発明の一実施形態を示すパッケージの側断面図、正面図、パッケージ底面図及びケージ底面図である。
【図１０】本発明の一実施形態を示す鍵部材の側面図及び平面図である。
【図１１】図９のパッケージに図１０の鍵部材を挿入した側断面図である。
【図１２】図９のパッケージに図１０の鍵部材を挿入した側断面図である。
【符号の説明】
【００５４】
１  パッケージ
２  パッケージ本体
３  ケージ
４  嵌込穴
５  係合部材
６  平板
７  ロック突起
２１  鍵部材
２３  突起
【図１】
2005146691.tif 000003
【図２】
2005146691.tif 000004
【図３】
2005146691.tif 000005
【図４】
2005146691.tif 000006
【図５】
2005146691.tif 000007
【図６】
2005146691.tif 000008
【図７】
2005146691.tif 000009
【図８】
2005146691.tif 000010
【図９】
2005146691.tif 000011
【図１０】
2005146691.tif 000012
【図１１】
2005146691.tif 000013
【図１２】
2005146691.tif 000014